(57)【要約】【課題】殻の破片が可食部に混入しづらい卵の殻割り器を提供する。【解決手段】卵の殻割り器１は、本体部２１と、把手２２と、蓋部２３と、ハンドル２４と、殻割部５０と、を備える。殻割部５０には、板ばね６１と板ばね６１に接続されたハンマー６２を備える。板ばね６１は、溝部５１内を移動する。内壁５２には、複数の歯５４が一定のピッチで形成されている。板ばね６１は、歯５４の凸部にあるときに圧縮され、凸部と異なる位置にあるときに圧縮から解放される。ハンドル２４を回すと、ハンマー６２は、板ばね６１に連動して動き、板ばね６１が圧縮から解放されたときに、卵Ｅの殻に打撃を与える。ハンドル２４の回転により、卵Ｅの殻には、一定の大きさの連続的な打撃が与えられる。【選択図】図１
2019188114.tif 000002
【特許請求の範囲】
【請求項１】
卵を支持する支持部（２１）と、
卵の殻に打撃を与えるための打撃部（６２）と、
前記打撃部（６２）に固定された弾性部材（６１）と、
前記支持部（２１）に配置され、前記支持部（２１）に支持された卵に沿った所定の経路で前記打撃部（６２）及び前記弾性部材（６１）を案内し、前記経路に沿って複数の凹凸部（５４）を有する案内部（５１）と、
前記弾性部材（６１）を前記凹凸部（５４）に接触させながら、前記案内部（５１）による案内に従って、前記打撃部（６２）及び前記弾性部材（６１）を前記経路で移動させることにより、前記複数の凹凸部（５４）に接触することによる前記弾性部材（６１）の弾性変形に伴って、前記打撃部（６２）に前記支持部（２１）に支持された卵を複数回打撃させる駆動部と、
を備える、
卵の殻割り器。
【請求項２】
前記案内部（５１）は、前記支持部（２１）に支持された卵を囲う環状に形成されており、
前記打撃部（６２）は、前記駆動部の駆動により、環状に移動しながら打撃する、
請求項１に記載の卵の殻割り器。
【請求項３】
前記凹凸部（５４）の凸部は、前記経路の接線に異なる角度で交わる第１の面（５５）と第２の面（５６）を含み、
前記凹凸部（５４）の凹部は、前記第１の面（５５）と前記第２の面（５６）の間の領域から構成される、
請求項１又は２に記載の卵の殻割り器。
【請求項４】
前記案内部（５１）は、前記支持部（２１）に形成された円環状の溝部（５１）を備え、
前記溝部（５１）の内壁（５２）に沿って一定のピッチで一定のサイズの複数の凹凸部（５４）が形成されており、
前記弾性部材（６１）は、前記溝部（５１）の外壁（５３）と前記内壁（５２）の凹凸部（５４）との間に配置され、前記駆動部の駆動により前記溝部（５１）内を移動し、移動に伴って前記凹凸部（５４）と接触して弾性変形し、
前記打撃部（６２）は、前記弾性部材（６１）の変形に伴って卵に対して前進又は後退し、前進時に打撃する、
請求項１から３のいずれか１項に記載の卵の殻割り器。
【請求項５】
前記支持部（２１）は、卵を収容するための孔を有する円筒形状に形成されており、
前記案内部（５１）は、円筒形状の前記支持部（２１）の端部に配置されたフランジ部に形成され、前記孔と同心円状に形成された溝部（５１）と、該溝部（５１）の内壁（５２）に沿って形成された複数の凹凸部（５４）と、を備え、
前記弾性部材（６１）は、前記溝部（５１）に配置され、一端部（６４）が前記溝部（５１）の外壁（５３）、他端部（６５）が前記凹凸部（５４）を押圧するヘアピン状の板ばね（６１）から構成され、
前記打撃部（６２）は、前記板ばね（６１）の前記他端部（６５）に固定されており、
前記駆動部は、前記板ばね（６１）の基部に係合する係合ピン（２５）を備え、この係合ピン（２５）を前記溝部（５１）に沿って移動させる、
請求項１から４のいずれか１項に記載の卵の殻割り器。
【請求項６】
前記打撃部（６２）の卵の殻を打撃する部分は、曲線形状を有し、かつ、前記案内部（５１）の案内する方向に平行な板から構成される、
請求項１から５のいずれか１項に記載の卵の殻割り器。
【請求項７】
前記弾性部材（６１）は、
前記駆動部から、前記経路に沿う第１の方向への力を受けたときには、
受けた力により移動し、移動過程で前記弾性部材（６１）が前記複数の凹凸部（５４）に接触することにより弾性変形し、前記弾性部材（６１）の弾性変形に伴って、前記支持部（２１）に支持された卵を複数回打撃し、
前記駆動部から、前記経路に沿う第２の方向への力を受けたときには、
受けた力により弾性変形して、前記打撃部（６２）を卵から遠ざかる所定の待避位置に待避させる、
請求項１から６のいずれか１項に記載の卵の殻割り器。
【請求項８】
前記駆動部は、前記弾性部材（６１）と前記打撃部（６２）とを移動させる駆動力を生成するハンドル（２４）又は電動機を備える、
請求項１から７のいずれか１項に記載の卵の殻割り器。
【請求項９】
前記支持部（２１）の表面の少なくとも一部に粗面化処理が施されている、
請求項１から８のいずれか１項に記載の卵の殻割り器。
【請求項１０】
前記経路に沿った一方向の前記駆動力のみを前記駆動部に伝達する片方向駆動力伝達部をさらに備える、
請求項８に記載の卵の殻割り器。
【請求項１１】
打撃を開始する打撃指示を検出して前記打撃部（６２）に打撃の開始を指示する打撃指示を行う打撃開始指示検出部と、
前記駆動部を移動させるエネルギーを蓄える移動エネルギー蓄積部と、をさらに備え、
前記打撃指示を検出しないとき又は検出したときに、前記移動エネルギー蓄積部は、所定の量に達するまでエネルギーを蓄え、
前記打撃開始指示検出部によって前記打撃指示が検出されると、前記移動エネルギー蓄積部に蓄えられた前記エネルギーを前記駆動部に供給し、
前記打撃部（６２）が前記経路に沿って移動し、前記経路を一回りすると、前記所定の量が前記駆動部を移動させるために必要なエネルギーの量を下回るように、前記移動エネルギー蓄積部の容量が設定されている、
請求項１から１０のいずれか１項に記載の卵の殻割り器。
【発明の詳細な説明】
【技術分野】
【０００１】
本発明は、卵の殻割り器に関する。
【背景技術】
【０００２】
生卵、ゆで卵、温泉卵等の殻を簡単に割るための殻割り器が知られている。例えば、特許文献１には、殻を部分的に粉砕することで殻を割る殻割り器が、また、特許文献２には、殻を切断することにより、殻を割る殻割り器が開示されている。
【０００３】
特許文献１に記載の殻割り器は、円筒形状の本体と、本体の両端に設けられた環状の指当てと、本体の下端に、内向きに取り付けられた波形の刃と、を備える。卵を本体内に保持し、指当てを締めることにより、刃が卵の殻を押して、殻を破砕する。
【０００４】
一方、特許文献２に記載の殻割り器は、環状の回転体と、回転体に配設された複数の切断刃と、を備える。この殻割り器は、回転体を回転することにより、回転体に固定された切断刃を回転させて、殻を環状に切断する。
【先行技術文献】
【特許文献】
【０００５】
【特許文献１】特開２００８−２７２４０７号公報
【特許文献２】特開２０１０−０８８７１６号公報
【発明の概要】
【発明が解決しようとする課題】
【０００６】
特許文献１に記載の殻割り器は、波状の刃を押し付けることで、殻にひびを入れ、殻を割る。しかし、殻に加わる力は、指当ての締め方によって変わるため、力の入れ具合によっては、予期せずに、卵の殻の破片が可食部に混入してしまうという問題がある。
【０００７】
また、特許文献２に記載の殻割り器においては、回転する切断刃によって殻が切断される。しかし、刃物を殻に当てる力の制御が困難であるため、力の入れ具合によっては、予期せずに、殻の破片が可食部に混入してしまうという問題がある。
【０００８】
本発明は、このような問題点に鑑みてなされたものであり、殻の破片が可食部に混入しづらい卵の殻割り器を提供することを目的とする。
【課題を解決するための手段】
【０００９】
上記目的を達成するため、本発明の第１の観点に係る卵の殻割り器は、
卵を支持する支持部と、
卵の殻に打撃を与えるための打撃部と、
前記打撃部に固定された弾性部材と、
前記支持部に配置され、前記支持部に支持された卵に沿った所定の経路で前記打撃部及び前記弾性部材を案内し、前記経路に沿って複数の凹凸部を有する案内部と、
前記弾性部材を前記凹凸部に接触させながら、前記案内部による案内に従って、前記打撃部及び前記弾性部材を前記経路で移動させることにより、前記複数の凹凸部に接触することによる前記弾性部材の弾性変形に伴って、前記打撃部に前記支持部に支持された卵を複数回打撃させる駆動部と、
を備える。
【発明の効果】
【００１０】
本発明によれば、卵の殻を割るために器具に加える力の大小にかかわらず、一定の打撃力が殻に加わるため、破砕した殻の破片が可食部に混入しない。
【図面の簡単な説明】
【００１１】
【図１】（Ａ）は本発明の実施の形態１に係る卵の殻割り器の斜視図であり、（Ｂ）は（Ａ）に示す卵の殻割り器のＡ１−Ａ１矢視断面図である。
【図２】図１（Ａ）に示す卵の殻割り器のＡ２−Ａ２矢視断面図である。
【図３】（Ａ）は図２に示す卵の殻割り器の歯の形状を説明するための図であり、（Ｂ）は図１（Ｂ）に示す卵の殻割り器における板ばねとハンマーの展開図である。
【図４】実施の形態１に係る卵の殻割り器の動作説明図であり、（Ａ）から（Ｃ）は卵の殻を割る動作、（Ｄ）はハンマーを収納する動作の説明図である。
【図５】（Ａ）は本発明の実施の形態２に係る卵の殻割り器の斜視図であり、（Ｂ）は（Ａ）に示す卵の殻割り器における殻割部のＢ−Ｂ矢視図である。
【図６】（Ａ）は図５（Ａ）に示す卵の殻割り器における殻割部のＣ−Ｃ矢視図であり、（Ｂ）から（Ｄ）は卵の殻を割る動作、（Ｅ）は（Ａ）におけるハンマーを収納する動作のＤ−Ｄ矢視説明図である。
【図７】（Ａ）は本発明の実施の形態３に係る卵の殻割り器の斜視図であり、（Ｂ）は（Ａ）に示す卵の殻割り器における殻割部のＦ−Ｆ矢視図である。
【図８】（Ａ）は本発明の実施の形態４に係る卵の殻割り器の斜視図であり、（Ｂ）は（Ａ）に示す卵の殻割り器における本体部のＧ−Ｇ矢視図であり、（Ｃ）は（Ａ）に示す卵の殻割り器における殻割部のＨ−Ｈ矢視図である。
【図９】（Ａ）は実施の形態５に係る卵の殻割り器の斜視図であり、（Ｂ）は（Ａ）に示す卵の殻割り器における本体部のＨ−Ｈ断面図であり、（Ｃ）は（Ａ）に示す卵の殻割り器の電気回路図である。
【図１０】本発明の実施の形態６に係る卵の殻割り器の殻割部の部分拡大図である。
【図１１】（Ａ）は本発明の一つの変形例に係る卵の殻割り器の電気回路図であり、（Ｂ）はその卵の殻割り器の殻割部の歯車類の部分拡大図である。
【発明を実施するための形態】
【００１２】
以下に、本発明の実施の形態に係る卵の殻割り器を、図面を参照しつつ説明する。
【００１３】
（実施の形態１）
実施の形態１に係る卵の殻割り器１は、図１（Ａ）に示すように、本体部２１と、本体部２１から延びる把手２２と、本体部２１の上部を覆う蓋部２３と、蓋部２３に立設されているハンドル２４と、を備える。この卵の殻割り器１は、ハンドル２４を操作して、蓋部２３を回動させ、本体部２１の中央孔に配置された卵Ｅを図示せぬハンマー６２により一定の強さでかつ一定のピッチで一周に亘って打撃することにより、卵Ｅの殻を割る器具である。なお、以下の説明において、図１（Ａ）に示す配置に基づいて、上、下という表現を使用することがある。
【００１４】
以下、卵の殻割り器１の各部の構成を説明する。
図１（Ｂ）に図１（Ａ）のＡ１−Ａ１線断面で示すように、本体部２１は、円筒状に形成され、その中央部に処理対象の卵Ｅを収容する貫通孔を有する。本体部２１の内周面は、収容する卵Ｅの殻の外形形状に合わせて、下部から上部に向かうに従って孔が細くなる湾曲形状に形成されている。本体部２１は、卵Ｅを完全に覆うのではなく、卵Ｅの上部及び下部の一部を露出した状態で収容する。
【００１５】
本体部２１の上端部にはフランジが形成されている。このフランジには、卵Ｅの殻を打撃して割るための殻割部５０が形成されている。
【００１６】
殻割部５０には、図２に図１（Ａ）のＡ２−Ａ２線矢視断面で示すように、内壁５２と外壁５３で区画された、環状で一定幅の溝部５１が形成されている。内壁５２と外壁５３とは、本体部２１の貫通孔の中心軸ＣＡと同心に形成されている。
【００１７】
溝部５１には、内壁５２に沿って、径方向外側に向けて複数の歯５４が一定のピッチおよび一定のサイズで形成されている。各歯５４は、内壁５２が描く円の接線を基準として、接線に対し直角に近い傾斜面５５と、接線に対し緩やかな傾斜面５６と、を有する。
なお、傾斜面５５，５６は、請求項における第１の面および第２の面に対応する。
【００１８】
溝部５１内の内壁５２と外壁５３との間には、板ばね６１およびハンマー６２が配置されている。
【００１９】
板ばね６１は、金属板から構成される。板ばね６１は、溝部５１に収容され、平面視でヘアピン状に形成されており、屈曲部６３で後述するピン２５に係止され、一端部６４で外壁５３を押圧し、他端部６５で歯５４を押圧する。
【００２０】
板ばね６１の一端部６４は、屈曲点で径方向内側に鋭角で折り曲げられている。この折り曲げ部分６７は、後述するように、ピン２５が反時計方向に移動した際に、ピン２５と係合するように、比較的長く形成されている。また、板ばね６１の他端部６５は、隣り合う歯５４と歯５４の間に入り込むことが可能なように、径方向内側に折り曲げられている。
【００２１】
このような構成により、板ばね６１は、ピン２５が時計回りに移動すると、ピン２５に押されて、時計回りに移動する。このとき、板ばね６１の一端部６４の屈曲点は、溝部５１の外壁５３に摺動する。一方、他端部６５は、歯５４の傾斜面５６に沿って径方向外向きに移動し、歯５４の最も突出した部分である凸部を乗り越えると、ばね力により、隣り合う歯５４と歯５４の間である凹部に没入するという動作を繰り返す。
【００２２】
一方、ピン２５が反時計回りに移動すると、ピン２５は板ばね６１の屈曲部６３から離れて移動し、他端部６５に衝突および誘導されて、一端部６４に接近する。板ばね６１は、一端部６４を中心に、屈曲部６３が外壁５３に接近するように回転し、他端部６５が、歯５４の傾斜面５６に接した状態で動かなくなる。従って、ピン２５と溝部５１と板ばね６１により、板ばね６１が時計方向に移動可能で、反時計方向には移動できない一種のラチェット構造が形成されている。
なお、ピン２５は、請求項における係合ピンとして機能する。
【００２３】
このラチェット構造を実現するための歯５４の具体的態様の一例を説明する。
図３（Ａ）に示すように、本体部２１の中心孔の中心軸ＣＡと特定の歯５４の凸部の両方を通る仮想的な平面を基準平面ＲＰとし、基準平面ＲＰと傾斜面５５のなす角をθ１、基準平面ＲＰと傾斜面５６のなす角をθ２とする。
【００２４】
各歯５４は、傾斜面５５と傾斜面５６のなす角度がθ１＜θ２となるように形成されている。θ１は、好ましくは、１５°未満である。傾斜面５５と傾斜面５６のなす角（θ２−θ１）は、例えば、６０°である。
【００２５】
ハンマー６２は、図１（Ｂ）および図２に示すように、板ばね６１の内側の片６６の上辺にほぼ９０°直角に固定され、径方向内側を向いて配置されている。ハンマー６２の先端部の、卵Ｅの殻に打撃を与えるための角は丸みを帯びた板状に形成されている。なお、図２では、ハンマー６２は、切断面よりも上に位置しており、直接視認することができないため、一点鎖線で示した。
【００２６】
ハンマー６２は、板ばね６１の片６６に固定されており、その位置は、板ばね６１の位置および形状の影響を受ける。上述のように、ピン２５が時計回りに移動すると、板ばね６１の他端部６５は、歯５４の傾斜面５６に沿って、径方向外側に移動し、歯５４の頂点を乗り越えると、径方向内側に急激に変位する。この動きに伴って、ハンマー６２は、卵Ｅに対していったん後退してから前進し、内壁５２の上端を越えて本体部２１の貫通孔内に突出し、卵Ｅの殻を打撃する。また、ピン２５が反時計回りに移動すると、板ばね６１の回転に伴って後退し、本体部２１の貫通孔から待避する。ハンマー６２の先端の板状部分は、板ばね６１の運動に伴う前進及び後退の方向と平行となるように配置されている。
【００２７】
板ばね６１とハンマー６２とは、一体に形成可能である。例えば、図３（Ｂ）の展開図に示す形状のワークを１枚の鉄板から切り出し、このワークに折り曲げ加工を施して板ばね６１とハンマー６２を形成することができる。なお、卵Ｅの殻を割るのに必要十分な打撃を生じさせるための詳細な板ばね６１及びハンマー６２の形状、性質、配置等は、シミュレーションや試作によって求められる。
【００２８】
なお、本体部２１は、請求項における支持部、溝部５１は、請求項における案内部、歯５４は、請求項における凹凸部、板ばね６１は、請求項における弾性部材、ハンマー６２は、請求項における打撃部、としてそれぞれ機能する。
【００２９】
図１（Ａ）に示す把手２２は本体部２１に固定され、ユーザがこの卵の殻割り器１を操作する際に把持する。
【００３０】
蓋部２３は、中央に卵Ｅを収容するための孔を有し、全体として本体部２１の中心軸ＣＡを中心とする円環状に形成されている。
【００３１】
図１（Ｂ）に示すように、蓋部２３は、本体部２１の上端のフランジ部を上面および側面から覆って配置されており、蓋部２３は、殻割部５０の外壁５３の上端面に摺動可能に載置されている。ただし、内壁５２の上端面と蓋部２３の下面との間には、ハンマー６２の厚みより大きい空隙が形成されている。ハンマー６２は、この空隙を通って、貫通孔内まで前進し、卵Ｅを打撃することができる。
【００３２】
蓋部２３の下面には、図２に示した円柱形状のピン２５が立設されている。このピン２５は、溝部５１内に挿入され、板ばね６１と係合している。
図１（Ａ）、（Ｂ）に示すように、蓋部２３の一部は、径方向外側に突出した形状に形成されており、ここに、ハンドル２４が回転可能に軸支されている。ハンドル２４は、支持軸において、ねじ、ワッシャー、ナット等で蓋部２３に回転可能に固定されている。ユーザは、ハンドル２４をつまんで蓋部２３を中心軸ＣＡを中心に回転させることができる。この回転操作により、ピン２５も溝部５１内で回動し、この回動に伴って、板ばね６１及びハンマー６２を溝部５１内で移動させ、ハンマー６２を前進・後退させる。
【００３３】
次に、上記構成を有する卵の殻割り器１を用いて卵Ｅの殻を割る動作を説明する。
【００３４】
まず、準備として、卵Ｅの長手方向が鉛直方向を向くように卵Ｅを配置する。次に、卵Ｅの上から本体部２１を被せ、図１（Ａ）、（Ｂ）に示すように、本体部２１の内壁を卵Ｅに当接させ、卵Ｅを支持する。
【００３５】
次に、本体部２１で卵Ｅを支持したまま、ハンドル２４を掴み、蓋部２３を平面視で時計回りに回転させる。蓋部２３の回転に伴い、ピン２５が溝部５１内を回動する。ピン２５の回動により、板ばね６１も溝部５１内を回動する。この回動に伴い、板ばね６１の他端部６５への歯５４の列が形成する凹凸部からの応力により、板ばね６１が周期的に弾性変形する。板ばね６１の弾性変形により、片６６の内壁５２に対する相対的な位置と向きが周期的に変化し、ハンマー６２が、卵Ｅの外形に沿って移動しながら継続的に殻を打撃する。このため、卵Ｅの殻には、切り取り線のように、打撃痕の列、即ち、微小な破砕箇所の列が形成される。
【００３６】
１周分の打撃痕列が完成すると、蓋部２３を平面視で反時計回りに回転させる。すると、ピン２５が反時計方向に回動し、板ばね６１との係合関係が変化し、板ばね６１が回転し、ハンマー６２が後退する。この状態で、卵Ｅを本体部２１から取り外し、打撃痕列に沿って殻を除去する。
【００３７】
この一例の動作を図４を参照してより詳細に説明する。
ユーザがハンドル２４を時計回りに回転させると、ピン２５は、板ばね６１の屈曲部６３に係合し、板ばね６１を時計回りの向きに移動させる。図４（Ａ）に拡大して示すように、板ばね６１は、そのばね力により、一端部６４において外壁５３を押圧し、また、他端部６５において内壁５２に沿って形成されている歯５４を押圧する。蓋部２３の回転によりピン２５が移動し、板ばね６１が移動すると、一端部６４は、外壁５３に摺動して、他端部６５は、歯５４に摺動する。この他端部６５が歯５４のうちの径方向外向きに最も突起した部分に接するとき、板ばね６１は、径方向に最も圧縮された状態となり、最大の弾性エネルギーを蓄える。
【００３８】
そのままハンドル２４を時計回りに回転させると、図４（Ｂ）に示すように、板ばね６１の他端部６５が歯５４のうちの径方向に最も引っ込んだ部分に陥入し、板ばね６１は、圧縮された状態から解放される。ユーザはハンドル２４を回し続けているため、図４（Ａ）に描かれた板ばね６１の状態から（Ｂ）に描かれた板ばね６１の状態への遷移は短時間で完了する。すなわち、板ばね６１に蓄えられていた圧縮による弾性エネルギーが一気に解放され、これに伴い、板ばね６１の片６６も内壁５２側に大きく移動し、片６６に固定されているハンマー６２は、内壁５２を越えて、中心ＣＡ方向に前進する。
【００３９】
ハンマー６２の前進により、ハンマー６２の先端が卵Ｅの殻に衝突し、打撃を加える。これにより、卵Ｅの殻が微小領域で破壊される。
さらにハンドル２４を時計回りに回転させると、図４（Ｃ）に示すように、板ばね６１の他端部６５が歯５４に接し、一方、板ばね６１の一端部６４が外壁５３に接するため、板ばね６１は、再び径方向に圧縮され、弾性エネルギーを蓄え始める。
【００４０】
ユーザがハンドル２４を時計回りに回転させ続ける間、板ばね６１は、図４（Ａ）から（Ｃ）に示した状態の変化を繰り返す。したがって、ユーザによるハンドル２４の時計回りの向きの回転に伴い、板ばね６１に接続されたハンマー６２は、周方向に移動しながら径方向の前進による打撃と後退とを繰り返し、卵Ｅの殻に連続的に打撃を与えて少しずつ破砕することを繰り返す。
歯５４のピッチとサイズが同一なので、ハンマー６２が卵Ｅの殻に与える打撃のピッチとエネルギーもほぼ一定となる。
【００４１】
このような移動過程を経ることにより、卵Ｅの殻に環状にひびが入れられる。なお、ユーザがハンドル２４を時計回りの向きに１回転させれば、ハンマー６２も卵Ｅの周囲を１回転するため、通常、卵Ｅの殻を開けるためには、ハンドル２４を１回転させるだけで十分である。
【００４２】
殻割り器１の卵Ｅの殻に対する打撃力の大きさは、板ばね６１の弾性力に依存し、ユーザのハンドル２４の握り方や回し方に依存しない。したがって、卵の殻割り器１によれば、常に一定の打撃力が卵Ｅの殻に加わるため、たとえユーザがハンドル２４を高速で回したとしても、殻が飛散することがなく、破砕された殻の破片が卵Ｅの可食部に混入することもない。
【００４３】
次に、ハンマー６２を収納する動作について説明する。
卵Ｅの殻を割る作業を終えた時点においては、ピン２５は、例えば、図４（Ａ）から（Ｃ）に示すように、板ばね６１の屈曲部６３に接しているか、少なくとも屈曲部６３の付近に位置している。
【００４４】
ユーザがハンドル２４を操作し、蓋部２３を反時計回りの向きに回すと、ピン２５は、屈曲部６３から一端部６４に向かって移動し、折り曲げ部分６７に衝突し、折り曲げ部分６７に導かれて、板ばね６１の一端部６４又はその付近に接する。これにより、板ばね６１の溝部５１内での配置が変わり、板ばね６１と接続しているハンマー６２の配置も変化する。具体的には、屈曲部６３及び他端部６５が環の径方向の外向きに移動するため、屈曲部６３と他端部６５との間にある片６６に接続されているハンマー６２も、同じ向きに移動する。
さらにユーザがハンドル２４を操作し、蓋部２３を反時計回りの向きに回そうとすると、図４（Ｄ）に示すように、一端部６４が外壁５３と衝突する。これにより、ピン２５、蓋部２３及びハンドル２４は、それ以上反時計回りに動かなくなる。
【００４５】
これらの一連の動作の結果、図４（Ｄ）に示すように、ハンマー６２は、卵Ｅの殻を破砕する動作を行っている場合に比べて、径方向外側に位置することとなる。言い換えれば、ハンマー６２は、待避位置に移動した結果、殻割部５０の内側である収容部に収納される。
【００４６】
このように、ハンマー６２を収納可能な構成とすることで、外気に曝されることによるハンマー６２の劣化を防止し又は遅延させることができる。
【００４７】
なお、図４（Ａ）から（Ｄ）を参照して説明したように、ユーザが時計回りの向きに移動させようとした場合には、板ばね６１の他端部６５は、歯５４の傾斜面５６を乗り越えやすいため、その向きに動きやすい。これに対して、ユーザが反時計回りの向きに移動させようとした場合には、板ばね６１の他端部６５は、歯５４の傾斜面５５と衝突し、これを乗り越えることができない。このため、板ばね６１は、反時計回りの向きに動き難い。したがって、板ばね６１は、一種のラチェット機構として機能する。
【００４８】
上記の説明は、ユーザが卵の殻割り器１を片付ける場合を念頭に置いてなされたものであるが、卵Ｅの殻を割る前の準備として、ハンマー６２を収納する動作を行ってもよい。
【００４９】
卵の殻割り器１を用いて卵Ｅの殻を割るためには、殻割部５０が卵Ｅの殻に密着或いは近接している必要がある。ハンマー６２が収納されていない状態でユーザが卵Ｅの殻の破砕を開始しようとすると、殻割部５０から露出していたハンマー６２が邪魔をして、殻割部５０が卵Ｅの殻に十分に密着せず、殻に十分な打撃力を与えることができないため、殻が割れないおそれがある。殻の破砕を開始する前に上述したハンマー６２を収納する操作を行えば、殻割部５０が卵Ｅの殻に十分に密着した状態で破砕の動作を開始することができ、十分な打撃力で卵Ｅの殻を割ることができる。
【００５０】
（実施の形態２）
上記実施の形態に係る殻割り器１は、小型簡便な装置であるが、卵Ｅを本体部２１でユーザ自身が支持する必要がある。しかし、本発明の実施の形態は、これに限定されず、卵Ｅを殻割り器が保持して支持することも当然可能である。以下、このような機能を有する卵の殻割り器に係る実施の形態２について、実施形態１と異なる点を中心に説明する。
【００５１】
実施の形態２に係る卵の殻割り器２は、図５（Ａ）に示すように、卵の殻割り器１に比べて鉛直方向に長い本体部２２１を有する。本体部２２１は、その孔に卵Ｅをセットした状態で、卵の下部を覆うサイズを有する。これにより、ユーザは、使用時に本体部２２１を片方の手で掴むなどして固定し、別の手でハンドル２２４を操作することができる。
【００５２】
本体部２２１の側面には、略楕円形状の窓が３つ設けられており、卵Ｅを孔にセットした状態で視認することができる。
【００５３】
また、卵の殻割り器２のハンドル２２４は、蓋部２２３から径方向外向きに延びて形成されたアーム２２６の先端に設けられている。
アーム２２６は、殻割部２５０付近において蓋部２２３の外周から水平に延びるが、径方向外向きに延びる途中で鉛直方向上向きに傾斜し、ハンドル２２４に至るまでに、再度水平に延びる形状に形成されている。これにより、ハンドル２２４が本体部２２１より鉛直方向において高くなるため、ハンドル２２４を操作する手と、本体部２２１を固定する手とが干渉しづらく、使い易い。
【００５４】
卵の殻割り器２の殻割部２５０は、図５（Ｂ）に示すように、溝部２５１と、溝部２５１の下面を構成する底部７２と、溝部２５１の上面を構成する天井７３と、底部７２上に本体部２２１の円筒の中心軸ＣＡを中心に環状に配置され、鉛直方向上向きに突出する複数の歯２５４と、歯２５４と天井７３との間に配置された板ばね２６１と、板ばね２６１と一体的に形成され、鉛直方向下向きに突出するハンマー２６２と、を備える。
【００５５】
ピン２２５は、図５（Ｂ）、図６（Ａ）に示すように、溝部２５１の内壁から径方向内向きに突出する円柱の形状に形成されている。
【００５６】
次に、ユーザがハンドル２２４を操作して卵Ｅの殻を割る場合における卵の殻割り器２の殻割部２５０の動作を説明する。
【００５７】
図６（Ｂ）は、板ばね２６１の他端部２６５が、歯２５４のうち、最も上方に突出した部分、すなわち、凸部にある状態を表す図である。このとき、板ばね２６１は鉛直方向に圧縮された状態にあり、板ばね２６１には弾性エネルギーが蓄えられている。
【００５８】
そのままユーザがハンドル２２４を時計回りに回転させると、図６（Ｃ）に示すように、板ばね２６１の他端部２６５が歯２５４のうちの鉛直方向に最も引っ込んだ部分に陥入し、板ばね２６１は、圧縮された状態から解放される。ユーザはハンドル２２４を回し続けているため、図６（Ｂ）に描かれた板ばね２６１の状態から（Ｃ）に描かれた板ばね２６１の状態への遷移は短時間で完了する。すなわち、板ばね２６１に蓄えられていた圧縮による弾性エネルギーが一気に解放される。これに伴い、板ばね２６１に接続されたハンマー２６２は、鉛直方向下向きに飛び出す。
【００５９】
ハンマー２６２の飛び出した位置には、図示しない卵Ｅの殻がある。ハンマー２６２が飛び出すことにより、ハンマー２６２の先端が卵Ｅの殻に打撃を加え、卵Ｅの殻を破砕する。
【００６０】
さらにユーザがハンドル２２４を時計回りに回転させると、図６（Ｄ）に示すように、板ばね２６１の他端部２６５が歯２５４の傾斜面２５６に接し、且つ、板ばね２６１の一端部２６４が天井７３に接するため、板ばね２６１は、再び鉛直方向に圧縮され、弾性エネルギーを蓄え始める。
【００６１】
ユーザがハンドル２２４を時計回りに回転させ続ける限り、板ばね２６１は、図６（Ｂ）から（Ｄ）に示した状態の変化を繰り返す。したがって、ユーザによるハンドル２２４の時計回りの向きの回転に伴い、板ばね２６１に接続されたハンマー２６２は、周方向に移動しながら鉛直方向の飛び出しと引っ込みを繰り返し、卵Ｅの殻に連続的に打撃を与えて少しずつ破砕することを繰り返す。
【００６２】
卵の殻割り器２においては、ユーザがハンドル２２４を時計回りの向きに回転させると、ハンマー２６２は、卵Ｅの周囲を環状に移動しながら継続的に殻に鉛直方向の打撃を与える。
【００６３】
このようにすることで、ハンマー２６２の移動方向が鉛直方向となり、卵の殻割り器２に対する重力の作用もあり、ハンマー２６２の移動方向が径方向である場合に比べて、殻割部２５０が卵Ｅの殻と密着しやすく、ハンマー２６２の打撃が卵Ｅの殻に確実に与えられる。
【００６４】
なお、卵の殻割り器１と同様に、卵の殻割り器２においても、ハンドル２２４を反時計回りの向きに回転させると、図６（Ｅ）に示すように、ピン２２５は、屈曲部２６３から一端部２６４に向かって移動し、板ばね２６１を反時計回りの向きに押す。これにより、板ばね２６１の溝部２５１内での配置が変わり、板ばね２６１と接続しているハンマー２６２の配置も変化する。具体的には、屈曲部２６３及び他端部２６５が鉛直方向上向きに移動するため、屈曲部２６３と他端部２６５との間に接続されているハンマー２６２も、同じ向きに移動する。
さらにユーザがハンドル２２４を操作して反時計回りの向きに回そうとすると、図６（Ｅ）に示すように、屈曲部２６３が天井７３と衝突する。これにより、ピン２２５、蓋部２２３及びハンドル２２４は、それ以上反時計回りに動かなくなり、ハンマー２６２が収納される。
【００６５】
（実施の形態３）
上記の実施の形態１、２に係る卵の殻割り器１、２においては、ハンマー６２，２６２による打撃は、横または縦方向である。
実施の形態３に係る卵の殻割り器３は、卵Ｅの殻のなす面に対して垂直に打撃を与えるように形成されたハンマー３６２を備える。以下、実施の形態１，２と異なる点を中心に説明する。
【００６６】
卵の殻割り器３は、図７（Ａ）に示す外観を有する。
卵の殻割り器３は、円筒形状に形成された本体部３２１と、本体部３２１の上部に、本体部３２１に対して回転可能に形成された円錐台の形状を有する蓋部３２３と、を備える。
本体部３２１の下端に設けられた孔の内面は、卵Ｅと接する。卵Ｅが滑りにくいように、孔の内面には、粗面化処理が施されている。本実施の形態においては、レーザ加工によって、本体部３２１の下端に設けられた孔の内面に微小な凹凸が複数設けられている。
また、卵の殻割り器３は、蓋部３２３の直上に図示しない複数のギアを格納したギアボックス３２７を備える。ギアボックス３２７は、円筒形状に形成され、その側面からハンドル３２４が径方向外向きに延びて形成されている。ハンドル３２４は中心軸ＣＡと垂直な軸を中心に、アーム３２６を介して回転可能に形成されている。ハンドル３２４の回転運動は、ギアボックス３２７内の上述した複数のギアにより、中心軸ＣＡを中心とする蓋部３２３の回転運動に変換される。
卵の殻割り器３の殻割部３５０は、卵Ｅの上部を本体部３２１に収容した状態において卵Ｅの上部を囲むように形成され、板ばね３６１等を収納する径方向外向きに膨らんで形成されたばね収容部３５０ａを備える。
【００６７】
図７（Ｂ）に示した（Ａ）のＦ−Ｆ矢視図のように、殻割部３５０には、実施の形態１と同様に、溝部３５１が形成されている。また、ばね収容部３５０ａの内部には、板ばね３６１が配置されている。板ばね３６１は、ピン３２５によって係止されている。
溝部３５１は、実施の形態１，２における溝部５１，２５１と異なり、鉛直方向と水平方向のいずれに対しても傾斜して設けられており、これに対応して、溝部３５１の内部に設けられているピン３２５、板ばね３６１も傾斜している。
また、歯３５４も、実施の形態１，２と同様に、急峻な傾斜面３５５と、緩やかな傾斜面３５６から構成されている。しかし、溝部３５１が鉛直方向と水平方向のいずれに対しても傾斜して形成されていることから、傾斜面３５５，３５６も、実施の形態１，２における傾斜面５５，５６，２５５，２５６と異なる方向に傾斜している。具体的には、ヘアピン状の板ばね３６１と一体に形成されたハンマー３６２が卵Ｅの殻のなす面の法線方向を向くように、傾斜面３５５，３５６が形成されている。
このような構成により、ユーザがハンドル３２４を時計回りに回転させると、ピン３２５は、板ばね３６１を時計回りの向きに移動させる。板ばね３６１の回転に伴い、板ばね３６１に接続されたハンマー３６２は、周方向に移動しながら卵Ｅの殻のなす面の法線方向に飛び出しと引っ込みを繰り返し、卵Ｅの殻に連続的に打撃を与えて少しずつ破砕することを繰り返す。
【００６８】
（実施の形態４）
実施の形態４に係る卵の殻割り器４は、図８（Ａ）に示す外観を有する。
卵の殻割り器４は、円筒形状の本体部４２１と、本体部４２１の上側に連続して設けられ、これに固定されたハンドル４２４の回転に伴って回転する環状の蓋部４２３と、を有する。
以下、実施の形態１から３と異なる点を中心に説明する。
【００６９】
図８（Ｂ）に示した（Ａ）のＧ−Ｇ矢視図から理解されるように、本体部４２１の内部には、ハンドル４２４による回転力を媒介する回転力供給部８６と、回転力供給部から供給された回転力を受ける回転力受容部８７と、が設けられている。回転力供給部８６と回転力受容部８７とは、同心に配置されている。
蓋部４２３は、本体部４２１の内部で略円筒形状の回転力供給部８６と接続されており、回転力供給部８６は、回転力受容部８７よりも径方向内側に配置されている。回転力供給部８６は、その外周面において、周方向に延在して形成された板状の４つの爪８６ａを備える。また、本体部４２１の内部、かつ、回転力供給部８６よりも径方向外側に、爪８６ａと係合する複数のラチェット歯８７ａを備えた回転力受容部８７が配置されている。
回転力供給部８６と回転力受容部８７とは、爪８６ａとラチェット歯８７ａにより、ラチェット機構をなしている。
すなわち、回転力供給部８６が反時計回りに回転するとき、爪８６ａは、径方向内側に変形し、回転力受容部８７の歯を乗り越えやすいため、回転力供給部８６の回転は、回転力受容部８７に伝わりにくい。一方、回転力供給部８６が時計回りに回転しようとするとき、爪８６ａの先端がラチェット歯８７ａに食い込むため、回転力供給部８６の回転は、回転力受容部８７に伝わりやすい。
このラチェット機構は、請求項における片方向駆動力伝達部に対応する。
【００７０】
また、中蓋４８５は、本体部４２１の下方に配置され、その上端及び下端が窄まる略円筒形状に形成されている。中蓋４８５は、本体部４２１の内部で回転力受容部８７と接続されているため、回転力受容部８７と同一の方向に回転可能である。
【００７１】
次に、卵の殻割り器４の動作について説明する。ユーザがハンドル４２４を時計回りに回転させたとき、ハンドル４２４の回転によって生じた回転力は、回転力受容部８７と接続された中蓋４８５を介して、後述するように、板ばね４６１及びハンマー４６２にまで伝達される。
【００７２】
図８（Ｃ）に示すように、ハンマー４６２は、ヘアピン状の板ばね４６１と一体に形成され、卵Ｅの殻のなす面の法線方向を向くように配置されている。
しかし、卵の殻割り器４においては、板ばね４６１とハンマー４６２だけでなく、板状の係合突起８８も一体として形成されている。この係合突起８８は、中蓋４８５の孔に挿入した状態で固定されているため、中蓋４８５が回転するのに伴い、板ばね４６１及びハンマー４６２も移動する。
卵の殻割り器４は、卵の殻割り器１から３と異なり、ピン２５，２２５，３２５を備えない。しかし、板ばね４６１は係合突起８８を介して中蓋４８５に固定されているため、中蓋４８５が時計回りに回転すると、他端部４６５は、緩やかな傾斜面４５６に接触しつつ歯４５４を乗り越え、急峻な傾斜面４５５と緩やかな傾斜面４５６との間に陥入する。このとき、卵の殻割り器１から３における場合と同様に、卵の殻割り器４のハンマー４６２は、卵Ｅの殻に打撃を与える。
また、卵の殻割り器４は、以上説明した構造を有するため、ユーザは、３６０°に満たない角度だけハンドル４２４を時計回りに回転させ、続けてその角度だけ反時計回りに回転させることを繰り返しても、卵Ｅの殻を１周にわたって打撃することができる。例えば、９０°だけハンドル４２４を時計回りに回転させる操作と、その角度だけ反時計回りに回転させる操作を１セットとし、これを４セット繰り返せば、ハンマー４６２は、卵Ｅの殻の周囲を打撃しながら３６０°にわたって回転する。
なお、卵の殻割り器１から３におけるのと同様に、ユーザは、ハンドル４２４を時計回りに回転させる操作だけを行って卵Ｅの殻を割ってもよい。
【００７３】
ハンドル４２４を反時計回りに回転させたとき、卵Ｅの殻を割る動作は行われない。しかし、反時計回りの回転力が中蓋４８５及び中蓋４８５に挿入された板ばね４６１には、時計回りに回転させた場合に比べて十分に小さい反時計回りの回転力が伝わる。これにより、卵の殻割り器４でも、卵の殻割り器１から３と同様に、ハンマー４６２は、径方向外側に移動するため、ハンマー４６２を収納する動作を行うことができる。
【００７４】
なお、本体部４２１の下端は、例えば、エラストマー材料を用いて形成されていてもよい。本体部４２１をこのような構成とすることで、ユーザが本体部４２１を手で保持した状態で、卵の殻割り器４は、卵Ｅの殻と密着しやすく、かつ、滑りにくい。
【００７５】
（実施の形態５）
実施の形態５に係る卵の殻割り器５は、卵の殻割り器１から４と異なり、ハンドル２４，２２４，３２４，４２４の回転によらずに卵Ｅの殻を割ることのできる器具である。
以下、卵の殻割り器１から４と異なる部分を中心に説明する。
【００７６】
卵の殻割り器５は、図９（Ａ）に示す外観を有する。
卵の殻割り器５の本体部５２１の側面には、押しボタンスイッチＳＷが配置されている。押しボタンスイッチＳＷは、卵Ｅの殻を割る操作を開始するスイッチであり、電気的な接続をオン・オフするものである。
また、本体部５２１の内部には、図示しない電池ボックスが設けられ、電池Ｐがセットされている。電池ボックスの端子金具からは、プラスとマイナスの配線が伸びており、図示しない板ばね５６１及びハンマー５６２の回転を制御する電気回路を有する制御基板と電気的に接続されている。さらに、この制御基板からは、プラスとマイナスの配線が伸びており、図示しない殻割部５５０の内部に配置された電動機Ｍと電気的に接続されている。
【００７７】
卵の殻割り器５の本体部５２１の内部の下方には、図９（Ｂ）に示すように、ピニオンギア８１と、ピニオンギア８１と噛み合う太陽歯車８２と、太陽歯車８２と噛み合う３つの遊星歯車８３と、が配置されている。すなわち、これらの歯車類８１，８２，８３は、電動機Ｍの回転運動が、遊星歯車８３と噛み合う内歯歯車８４を備えた中蓋５８５の回転運動に伝達されるように配置されている。
【００７８】
中蓋５８５は、内歯歯車８４が設けられた円筒と、円筒の下面において径方向外側に広がって形成されているフランジ状の皿部と、を備える。皿部の外縁には、板ばね５６１の一端を挿入して固定する孔が設けられている。
【００７９】
次に、卵の殻割り器５に設けられた制御基板の電気回路について、図９（Ｃ）の回路例を参照して説明する。この電気回路は、直流電源Ｐと、直流電源Ｐから供給された電気エネルギーを所定量だけ蓄える電解コンデンサＣと、直流電源Ｐの回路への接続と切り離しを行う押しボタンスイッチＳＷと、ピニオンギア８１を回転させる電動機Ｍと、電動機Ｍへの電流の供給を制御するトランジスタＴｒと、トランジスタＴｒ、電動機Ｍ等の動作条件を制御する抵抗値を有する電気抵抗Ｒ１，Ｒ２，Ｒ３と、を備える。
押しボタンスイッチＳＷは、請求項における打撃開始指示検出部に対応し、電解コンデンサＣは、請求項における移動エネルギー蓄積部に対応する。
【００８０】
次に、卵の殻割り器５の動作を説明する。卵の殻割り器５においては、押しボタンスイッチＳＷを押下する操作のみによって、卵Ｅの殻割りが行われる。
押しボタンスイッチＳＷが押されると、直流電源である電池Ｐが回路に接続され、電解コンデンサＣが短時間のうちに充電される。これにより、トランジスタＴｒのベース電圧が上昇し、電動機Ｍに対して電流が流れ始め、卵Ｅの殻を割る操作が開始される。押しボタンスイッチＳＷがオフにされ、電池Ｐが回路から切り離されても、電解コンデンサＣには電荷が蓄えられているから、トランジスタＴｒのエミッタ・コレクタ間の抵抗は低いままであり、電解コンデンサＣに蓄えられている電気エネルギーが放出され、電動機Ｍに供給される。これにより、電解コンデンサＣに蓄えられていた電気エネルギーの量が一定値を下回るまで、電動機Ｍは回転し続け、板ばね５６１の移動及びハンマー５６２の打撃が継続する。ハンマー５６２が卵Ｅの周囲を約１周したところで、電解コンデンサＣに蓄えられていた電気エネルギーの量は、板ばね５６１等を移動させるのに必要なエネルギーの量を下回り、電動機Ｍの回転が止まるため、卵Ｅの殻を割る操作も自動的に停止する。
なお、この電気回路の各素子のパラメータは、シミュレーション又は試行により決定される。
また、押しボタンスイッチＳＷが押されることは、請求項における打撃指示に対応する。
トランジスタＴｒとして、電気抵抗Ｒ２，Ｒ３を含んだデジタルトランジスタが用いられてもよい。
【００８１】
このように、卵の殻割り器１から４においては、ハンマー６２，２６２，３６２，４６２の打撃のもととなる板ばね６１，２６１，３６１，４６１の弾性エネルギーは、ユーザによるハンドル２４操作から生成されるのに対し、卵の殻割り器５においては、ハンマー５６２の打撃のもととなる板ばね５６１の弾性エネルギーは、電池Ｐの電気エネルギーに由来する。
従って、卵の殻割り器５によれば、卵の殻割り器２と異なり、ハンドル２４を回す必要がないため、より容易に卵Ｅの殻の破砕を行うことができる。
【００８２】
（実施の形態６）
上記実施１から５においては、ハンマー６２，２６２，３６２，４６２を駆動する弾性エネルギーをヘアピン状の板ばね６１，２６１で生成したが、ハンマー６２，２６２を駆動できるならば、弾性エネルギーを生成する部材は、板ばね６１等に限られない。以下、板ばね６１に代えてコイルばね９４をハンマー６２の駆動源として使用する実施の形態について説明する。
【００８３】
実施の形態６に係る卵の殻割り器６は、卵の殻割り器１とは異なる態様でハンマー６２を動作させるものである。以下、卵の殻割り器１と異なる部分を中心に説明する。
【００８４】
卵の殻割り器６の殻割部６５０は、図１０に示すように、弾性部材であるコイルばね９４と、シャフト９５と、スライダー９６と、歯止め９７と、軸案内部９８と、を有する。なお、その他の構成は、実施の形態１と同様であるとする。
【００８５】
コイルばね９４、シャフト９５、スライダー９６、歯止め９７、軸案内部９８等は、溝部５１に配置されている。
コイルばね９４の軸は、溝部５１の底面に平行であり、かつ、環の径方向にも平行であるように配置されている。コイルばね９４には、内径側ガイドとして、シャフト９５が通されている。シャフト９５の環の径方向外側の端は、スライダー９６と接続されている。スライダー９６は、舟形に形成され、外壁５３とほぼ同一の曲率を有する曲面である側面を有し、コイルばね９４、シャフト９５、ハンマー６２とともに周方向に摺動可能である。
【００８６】
溝部５１の径方向内側において、コイルばね９４は、歯止め９７と接続されている。歯止め９７は、歯５４の傾斜面５５，５６に密着することが可能な形状に形成されている。コイルばね９４の付勢力により、歯止め９７は、環の径方向内側に向かって付勢されている。また、ハンマー６２は、歯止め９７と連動するように接続されている。
【００８７】
軸案内部９８は、スライダー９６において弧状の溝として形成されており、この溝は、ピン２５を案内するために十分な幅及び深さを有する。ユーザがハンドル２４を第１の方向である時計回りの向きに回転させると、ピン２５は、軸案内部９８の弧状の溝の一端と接し、ユーザがハンドル２４を第２の方向である反時計回りの方向に回転させると、ピン２５は、軸案内部９８の弧状の溝の他端と接する。
【００８８】
傾斜面５５，５６は、卵の殻割り器１におけるものと同一の形状に形成されているから、卵の殻割り器６のハンマー６２も、時計回りの向きに回転し易く、反時計回りの向きに回転し難い。
【００８９】
板ばね６１に比べて劣化しにくいコイルばね９４を用いることにより、ハンマー６２の打撃力の変化を防止し、高い耐久性を有する卵の殻割り器６を提供することができる。
【００９０】
（変形例１）
殻割部５０等は、透明の樹脂を含む材料から構成されていてもよい。透明な樹脂を用いた卵の殻割り器７においては、不透明な樹脂を用いた場合に比べ、器具の内部が見えやすい。
したがって、使用前、使用中及び使用後に器具の内部の汚れ具合を容易に確認できるため、清掃すべきタイミングの把握の容易な卵の殻割り器７を提供することができる。
【００９１】
（変形例２）
以上の実施の形態、例えば、実施の形態１においては、殻割部５０は１つのハンマー６２だけを備えているが、殻割部５０は複数のハンマー６２を備えていてもよい。そのような変形例に係る卵の殻割り器８においては、複数の板ばね６１のそれぞれにハンマー６２が接続されている。
このようにすることで、ユーザがハンドル２４を１回転させなくとも、卵Ｅの殻を開けることができる。
等間隔に環状にハンマー６２がＮ個配置されている卵の殻割り器８においては、少なくとも（３６０°／Ｎ）だけハンドル２４を回転させれば、ユーザは、卵Ｅの殻を開けられる。
【００９２】
なお、電気エネルギーを用いる実施の形態５をベースにした場合には、１つのハンマー６２しか備えない場合に比べて、卵Ｅの殻を開けるために電動機Ｍを動作させる時間を短縮することができる。
【００９３】
（変形例３）
実施の形態５に係る卵の殻割り器５は、押しボタンスイッチＳＷを１つだけ備える。これに対し、本変形例に係る卵の殻割り器９は、２つの押しボタンスイッチＳＷ１，ＳＷ２を備えている。例えば、卵の殻割り器９における押しボタンスイッチＳＷ１は、卵Ｅの殻を割る操作のスイッチであり、押しボタンスイッチＳＷ２は、ハンマー５６２を収納する操作のスイッチである。
以下、卵の殻割り器５と異なる点を中心に説明する。
【００９４】
卵の殻割り器９の任意の箇所に、電池ボックスが設けられ、電池Ｐがセットされている。電池ボックスからは、プラスとマイナスの配線が殻割部５０まで伸びており、押しボタンスイッチＳＷ１，ＳＷ２を介して、電動機Ｍと電気的に接続されている。
この変形例に係る卵の殻割り器９の押しボタンスイッチＳＷ１，ＳＷ２は、通常状態でオフ、押下状態で導通オンとなるスイッチである。
卵の殻割り器９の電気回路の一例を図１１（Ａ）に示す。電動機Ｍと電池Ｐとの間に、押しボタンスイッチＳＷ１，ＳＷ２が直列に挿入されている。押しボタンスイッチＳＷ１が押された場合と、押しボタンスイッチＳＷ２が押された場合とで、電動機Ｍに印加される電圧の向きが互いに逆になるように、電池Ｐ、押しボタンスイッチＳＷ１，ＳＷ２及び電動機Ｍは結線されている。図１１（Ａ）においては、理解を容易にするため、電解コンデンサ、電気抵抗、トランジスタ、短絡防止素子、過電流防止素子等の回路要素は省略されている。
【００９５】
次に、卵の殻割り器９の備える電動機、歯車類の関係を図１１（Ｂ）を参照して説明する。
図１１（Ｂ）に示すように、卵の殻割り器９は、電動機Ｍと、電動機Ｍの回転軸に取り付けられたピニオンギア１８１と、ピニオンギア１８１と噛み合い、回転数、トルク、回転方向等を調節する中間歯車１８２と、中間歯車１８２と噛み合い、蓋部２３の内壁に設けられ、蓋部２３を回転させる内歯歯車１８３と、を備える。なお、図１１（Ｂ）においては、理解を促進するため、内歯歯車１８３の一部、電動機Ｍの配線等が省略されている。
【００９６】
次に、卵の殻割り器９の動作について説明する。
卵の殻割り器９においては、ユーザが押しボタンスイッチＳＷ１又はＳＷ２を押下しているときに、電動機Ｍと電池Ｐとが電気的に接続され、その間だけ電動機Ｍの回転軸が回転する。そして、回転軸の回転運動は、上述のギア類を含む機構を介してハンマー６２の打撃の運動に変換される。
【００９７】
卵の殻割り器９は、押しボタンスイッチＳＷ１だけでなく、押しボタンスイッチＳＷ２を備えることにより、実施の形態１に係る卵の殻割り器１におけるハンマー６２の収納の操作を、電気エネルギーを利用して行うことができる。
【００９８】
以上、種々の実施の形態及び変形例について説明してきたが、本発明の実施の形態及び変形例は、これらに限られるものではない。
例えば、殻を割る対象の卵Ｅを支持する支持部の構造と支持の対象は、本体部２１，２２１，３２１の構造に限定されず、任意であり、卵Ｅを載置して保持する、卵Ｅを挟んで保持する等、任意の保持機構を採用可能である。
【００９９】
また、卵の殻割り器１等においては、卵Ｅの殻に打撃を与える打撃部であるハンマー６２の先端の形状を曲線形状の平板としたが、先端の形状を円錐形状、円錐台形状、角錐形状、角錐台形状とするなど、適宜変更することも可能である。
【０１００】
弾性部材の例として、ヘアピン状の板ばね６１，２６１，３６１，４６１，５６１、コイルばね９４を例示したが、ばねの形状は任意である。また、ばねの材質も金属に限らず任意である。さらに、ゴムなどのばね以外の弾性部材を使用することも可能である。
【０１０１】
打撃部及び弾性部材を案内する案内部の例として、溝部５１を例示したが、案内部は、溝に限定されるものではなく、レールなどでもよい。また、卵Ｅを囲むように経路及び案内溝を配置する例を示したが、卵Ｅの半分だけの経路、卵Ｅの長径方向の外形に沿った経路等、任意の経路を設定することも可能である。
【０１０２】
また、案内部に配置される複数の凹凸部の例として、一定ピッチで配列された同一サイズの歯５４，２５４，３５４を示したが、これらの歯５４，２５４，３５４のサイズやピッチは一定でなく変化してもかまわない。例えば、一定区間については、密に／強く打撃し、他の区間については、粗く／弱く打撃する等してもよい。この場合には、要求仕様に合わせて、歯５４，２５４，３５４の配置密度と大きさを調整すればよい。
また、駆動部の例として、ハンドル２４，２２４，３２４，４２４付きの蓋部２３，２２３，３２３，４２３と電動機Ｍを例示したが、ゼンマイ他の動力源を使用してもよい。
【０１０３】
本発明は、本発明の広義の精神と範囲を逸脱することなく、様々な実施の形態及び変形が可能とされるものである。また、上述した実施の形態は、この発明を説明するためのものであり、本発明の範囲を限定するものではない。すなわち、本発明の範囲は、実施の形態ではなく、特許請求の範囲によって示される。そして、特許請求の範囲内及びそれと同等の発明の意義の範囲内で施される様々な変形が、この発明の範囲内とみなされる。
【符号の説明】
【０１０４】
１，２，３，４，５，６，７，８，９  卵の殻割り器、２１，２２１，３２１，４２１，５２１  本体部、２２  把手、２３，２２３，３２３，４２３  蓋部、２４，２２４，３２４，４２４  ハンドル、２５，２２５，３２５  ピン、２２６，３２６，４２６  アーム、３２７  ギアボックス、５０，２５０，３５０，４５０，５５０，６５０  殻割部、３５０ａ  ばね収容部、５１，２５１，３５１  溝部、５２  内壁、５３  外壁、５４，２５４，３５４，４５４  歯、５５，５６，２５５，２５６，３５５，３５６，４５５，４５６  傾斜面、６１，２６１，３６１，４６１，５６１  板ばね、６２，２６２，３６２，４６２，５６２  ハンマー、６３，２６３  屈曲部、６４，２６４  一端部、６５，２６５，４６５  他端部、６６  片、６７  折り曲げ部分、７２  底部、７３  天井、８１，１８１  ピニオンギア、８２  太陽歯車、８３  遊星歯車、８４，１８３  内歯歯車、４８５，５８５  中蓋、８６  回転力供給部、８６ａ  爪、８７  回転力受容部、８７ａ  ラチェット歯、８８  係合突起、１８２  中間歯車、９４  コイルばね、９５  シャフト、９６  スライダー、９７  歯止め、９８  軸案内部、ＣＡ  中心軸、Ｅ  卵、Ｍ  電動機、ＳＷ，ＳＷ１，ＳＷ２  押しボタンスイッチ、Ｐ  電池、ＲＰ  基準平面。
【図１】
2019188114.tif 000003
【図２】
2019188114.tif 000004
【図３】
2019188114.tif 000005
【図４】
2019188114.tif 000006
【図５】
2019188114.tif 000007
【図６】
2019188114.tif 000008
【図７】
2019188114.tif 000009
【図８】
2019188114.tif 000010
【図９】
2019188114.tif 000011
【図１０】
2019188114.tif 000012
【図１１】
2019188114.tif 000013